(57)【要約】【課題】  重ねた用紙に舌片状紙片を形成して折り返すことにより用紙を綴じる綴じ具は、形成した舌片状紙片が必要な位置まで確実に折り曲げられたかの確認が困難であった。【解決手段】  基台部210に載置台160と押え部材130とを備え、前記載置台160と前記押え部材130との間に複数枚の用紙を重ねて挟持し、挟持した前記用紙をハンドル部110の降下に合わせて前記載置台160及び前記押え部材130と共に降下させて前記用紙に舌片状紙片を形成し、当該舌片状紙片を折り返すことにより重ねた前記用紙を綴じる綴じ具100において、前記載置台160の降下により回動し、前記載置台160が所定位置まで降下したとき、前記載置台160との係合が外れて復帰バネ327により復帰して衝撃音を発する検出具310を備える綴じ具100とする。【選択図】    図４
2015044287.tif 000002
【特許請求の範囲】
【請求項１】
基台部に載置台と押え部材とを備え、前記載置台と前記押え部材との間に複数枚の用紙を重ねて挟持し、挟持した複数枚の前記用紙をハンドル部の降下に合わせて前記載置台及び前記押え部材と共に降下させ、挟持した複数枚の前記用紙に舌片状紙片を形成して当該舌片状紙片を折り返すことにより重ねた前記用紙を綴じる綴じ具において、前記載置台の降下により回動し、前記載置台が所定位置まで降下したとき、前記載置台との係合が外れて復帰バネにより急激に復帰して衝撃音を発する検出具を備えることを特徴とする綴じ具。
【請求項２】
前記検出具は、前記載置台に設けられた当接部に前記検出具の先端部を接触させて前記載置台の降下に合わせて前記先端部を降下させるように取付け軸を回動中心として回動し、前記載置台が前記所定位置まで降下したとき、前記検出部の前記先端部を前記取付け軸よりも下方に位置させるように前記取付け軸に取り付けられていることを特徴とする請求項１に記載した綴じ具。
【発明の詳細な説明】
【技術分野】
【０００１】
本発明は、ペーパーステープラと呼ばれ、金属針を用いずに複数枚の用紙を綴じる綴じ具に関するものである。
【背景技術】
【０００２】
今日、ステープラと呼ばれ、金属製の針を打ち出して複数枚の用紙を綴じる文房具が多用されている。
【０００３】
しかし、近年、省資源化、不要となった用紙のリサイクルなど、自然環境の破壊防止が重要視されるようになり、金属製の針を用いないステープラ（例えば特許文献１、特許文献２）も提案され、実用化されている。
【０００４】
この金属針を用いないステープラは、複数枚の用紙を重ねた状態で、Ｕ字形状の切込みよって舌片状の紙片を形成すると共に、この舌片状の紙片の基部の近くに直線形状に近い線状切込みを形成し、Ｕ字形状の切込みによって形成した各舌片状紙片を重ねた状態でその基部で折り返し、重ねて折り返した舌片状紙片の先端を線状切込みに差し込むことによって重なった舌片状紙片の折り返し形状を維持させ、重ねた用紙が分離しないようにする綴じ具である。
【先行技術文献】
【特許文献】
【０００５】
【特許文献１】特開平０８−３００８６５号公報
【特許文献２】特開２０１０−１３７５５１号公報
【発明の概要】
【発明が解決しようとする課題】
【０００６】
この舌片状紙片を形成するペーパーステープラは、金属針を用いることなく、綴じる用紙の一部を折り返して複数枚の用紙を重ねた状態とするため、資源の節用を図り、また、資料を破棄する際の処理を容易とするなどの利点を有する綴じ具である。
【０００７】
しかし、重ねた用紙に切込みを入れて舌片状紙片を形成して折り返すため、ペーパーステープラのハンドルの押し下げが不足すると切込みや折り曲げが不十分となって用紙を確実に綴じることができないため、ハンドルを最下点まで確実に押下げる必要が有るも、用紙に舌片状紙片を形成し、形成した舌片状紙片が必要な位置まで折り曲げられたかの確認が困難であった。
【０００８】
本発明に係る綴じ具としてのペーパーステープラは、上述の問題点を解消し、ハンドルを押し下げるようにして用紙を綴じるとき、必要な位置までハンドルが下がったかを容易且つ確実に知ることのできるペーパーステープラとしての綴じ具を提供するものである。
【課題を解決するための手段】
【０００９】
本発明に係る綴じ具は、基台部に載置台と押え部材とを備え、前記載置台と前記押え部材との間に複数枚の用紙を重ねて挟持し、挟持した複数枚の前記用紙をハンドル部の降下に合わせて前記載置台及び前記押え部材と共に降下させ、挟持した複数枚の前記用紙に舌片状紙片を形成して当該舌片状紙片を折り返すことにより重ねた前記用紙を綴じる綴じ具において、前記載置台の降下により回動し、前記載置台が所定位置まで降下したとき、前記載置台との係合が外れて復帰バネにより急激に復帰して衝撃音を発する検出具を備えることを特徴とする。
【００１０】
また、この綴じ具は、前記検出具が、前記載置台に設けられた当接部に前記検出具の先端部を接触させて前記載置台の降下に合わせて前記先端部を降下させるように取付け軸を回動中心として回動し、前記載置台が前記所定位置まで降下したとき、前記検出部の前記先端部を前記取付け軸よりも下方に位置させるように前記取付け軸に取り付けられることを特徴とする。
【発明の効果】
【００１１】
本発明に係る綴じ具は、載置台の降下により回動し、載置台が所定位置まで降下したとき、復帰バネにより復帰して衝撃音を発する検出具を備えるため、載置台が所定位置まで降下し、用紙を確実に綴じるハンドル位置までハンドル部を押し下げたとき、衝撃音を発することにより用紙が綴じられたことを使用者に知らせることができる。
【００１２】
そして、検出具は取付け軸を回動中心として回動し、検出具の先端部を載置台に設けた当接部に接触させて載置台の降下に合わせて先端部を降下させ、載置台が所定位置まで降下したとき、検出部の先端部を取付け軸よりも下方に位置させるようにしているため、載置台が所定位置まで降下すると検出具の先端部は、取付け軸よりも下方に位置して先端部を降下させると共に取付け軸側に水平方向には後退し、容易に載置台の当接部から外れて復帰バネにより復帰させられることになる。
【図面の簡単な説明】
【００１３】
【図１】本発明に係る綴じ具の一実施形態を示す前方斜視図。
【図２】本発明に係る綴じ具により用紙に舌片状紙片と線状切込みを形成した状態を示す概略図。
【図３】本発明に係る綴じ具により形成した舌片状紙片を折り返した状態を示す平面図及び断面図。
【図４】発明に係る綴じ具の開いた初期状態を示す断面側面図。
【図５】本発明に係る綴じ具におけるハンドル部等の分解斜視図。
【図６】本発明に係る綴じ具における基台部等の分解斜視図。
【図７】本発明に係る綴じ具における検出具の構造を示す斜視図。
【図８】本発明に係る綴じ具における用紙を挟んだ状態にハンドル部を降下させた状態を示す側面断面図。
【図９】本発明に係る綴じ具における用紙に切込みを入れる状態にハンドル部を降下させた状態を示す側面断面図。
【図１０】本発明に係る綴じ具における用紙に形成した舌片状紙片を立ち上げた状態にハンドル部を降下させた状態を示す側面断面図。
【図１１】本発明に係る綴じ具における用紙に形成した舌片状紙片を折り曲げたて第２カッターの窓部に挿入した状態までハンドル部を降下させた状態を示す側面断面図。
【図１２】本発明に係る綴じ具における用紙に形成した舌片状紙片を折り曲げた状態の最下点までハンドル部を降下させた状態を示す側面断面図。
【図１３】本発明に係る綴じ具における用紙に形成した舌片状紙片を折り曲げた状態でハンドル部を戻す途中の状態を示す側面断面図。
【図１４】本発明に係る綴じ具におけるスケールを使用するための準備状態を示す斜視図。
【図１５】本発明に係る綴じ具におけるスケールを使用する状態を示す斜視図。
【図１６】本発明に係る綴じ具により、用紙の長辺に２カ所の穴をあける状態を示す斜視図。
【発明を実施するための形態】
【００１４】
本発明に係るペーパーステープラと呼ばれる綴じ具は、図１に示すように、ハンドル部110の前方が基台部210に取り付けられ、基台部210の前方には載置台160が配置され、載置台160の上方に押え部材130が配置されるように設けられて、載置台160と押え部材130との間に重ねた用紙10を挿入して綴じることを可能とした綴じ具100である。
【００１５】
尚、ハンドル部110が基台部210に取り付けられている方向を前方とし、ハンドル部110と基台部210とが開いており、ハンドル部110が押下げられて降下移動する端部の方向を後方とし、前方及び後方に対する側方を左右方向として以下の説明をする。
【００１６】
この綴じ具100は、金属針を用いることなく、図２に示すように、用紙10の端部近辺にＵ字形状の切込みを設けて舌片状紙片15を形成すると共に、この舌片状紙片15の基部19の近傍において舌片状紙片15の軸方向と直交する方向に僅かに湾曲する直線状の線状切込み13を形成し、図３に示すように、舌片状紙片15をその基部19で折り曲げ、重ねた用紙10の各舌片状紙片15を重ねた状態で折り曲げて線状切込み13に先端17を挿入することによって重ねた用紙10が分離しないようにするものである。
【００１７】
この綴じ具100は、図４及び図５に示すように、ハンドル板113にハンドルカバー111を重ねてハンドル部110とし、ハンドルカバー111によりハンドル部110の押し下げを手の平で容易に行えるようにしているものである。
【００１８】
そして、ハンドル板113は、金属板を用いて剛性を確保し、平板状の天板部115の両側には下方に金属板を折り曲げて側部117を形成し、側部117の先端近傍にはハンドル軸穴123を設け、このハンドル軸穴123を貫通するハンドル軸125により後述する基台部210のベース部材241における支持壁245の上端へ回動可能に取り付けられるものである。
【００１９】
また、側部117のハンドル軸穴123よりも後方の側部117には、押え穴121を有し、この押え穴121を貫通して押え穴121に固定される押え軸127により、ハンドル部110の後端の降下に合わせて押え部材130や載置台160を降下させるものである。
【００２０】
このハンドル部110の後端の降下に合わせて降下する押え部材130は、平板状の本体部131を有し、この本体部131の略中央における左右の端部において上方に立設させた支持部135を有し、支持部135の上端近傍には前後方向を長軸とする長穴形状の押え軸穴137を有する。
【００２１】
この押え軸穴137は、ハンドル板113の押え穴121を貫通する押え軸127をこの押え軸穴137に貫通させるものであって、ハンドル部110即ちハンドル板113がハンドル軸125を中心に後端を回動降下させるとき、押え軸穴137を貫通する押え軸127がハンドル軸125を中心に回動するように降下して当該押え部材130を降下させるものである。
【００２２】
この押え部材130は、支持部135から前方の本体部131における前端縁に沿って前保護壁143を有し、本体部131の中央前方には開口穴部133を有し、本体部131の周囲には本体部131の下方に延びる垂下壁141を有し、開口穴部133の後方には、図４に示したように垂下壁141の下端と同一高さとするように本体部131の下面から垂下させた紙押え部145を有するものである。
【００２３】
この垂下壁141や紙押え部145は、載置台160に載置された用紙10を上方から押圧し、押え部材130により用紙10と共に載置台160を降下させ、降下した用紙10を貫通する第１カッター270や第２カッター290を押え部材130の開口穴部133に収納するものである。
【００２４】
また、この押え部材130は、本体部131の下面から垂下させる円柱形状の摺動軸138及び補助摺動軸139を有し、この摺動軸138を載置台160の摺動軸穴167に下方から挿入される基台本体部220に立設された支持柱237に挿入することにより、載置台160や基台本体部220に対して当該押え部材130が上下方向にのみ移動可能とされ、載置台160のバネ受け171に取り付ける持上げバネ147により載置台160との間に間隔を形成するように上方に付勢されるものである。
【００２５】
また、摺動軸138の後方に設けられる補助摺動軸139は、摺動軸138と平行とされ、載置台160の支柱穴169に挿入されることにより、摺動軸138と合わせて押え部材130の前後左右移動防止や水平からの傾斜を防止すると共に、この補助摺動軸139の下端には摺動軸ビス149を取り付け、摺動軸ビス149の首部により押え部材130の摺動軸138が載置台160の支柱穴169から抜けないようしている。
【００２６】
そして、この押え部材130は、垂下壁141の前半部分を覆う略半円形の可動部材151を備え、載置台160と押え部材130との間の間隙の前半部分の一部を塞ぐようにしているものである。
【００２７】
この可動部材151は、後端である両側の基部155の内側に突起157を有し、この突起157により垂下壁141の側面に対して回動可能に取り付けられ、可動部材151の中央部分となる先端部153を下方に付勢する可動押えバネ159を有し、可動部材151の先端部153近辺の下端を垂下壁141の下端よりも僅かに下方に位置させているものである。
【００２８】
従って、押え部材130と載置台160との間隙を小さくしつつ用紙10が載置台160の上に挿入されるときは、先端部153を上方に移動させるように突起157を中心に回動して用紙10の挿入を阻害することなく、用紙10を挿入しないときは間隙を小さくしておくものである。
【００２９】
尚、図５に示した基台カバー261は、後端を低く、前端をハンドル軸125の高さ近くまで高くする側壁部265、及び、側壁部265の上端縁に沿った背部263を有して押え部材130や載置台160の後方を覆うものである。
【００３０】
また、載置台160は、図６に示すように、上面を平板状の平板部161とし、後半部分の幅を前半部分の幅よりも僅かに狭くして後半部分を基台カバー261の左右両側壁部265の間に位置させるようにするものである。
【００３１】
そして、この平板部161の周囲には、平板部161から下方に延びる周壁部163を有し、図７に示すように、周壁部163を基台本体部220の前壁223、側壁225、後側壁227、後壁229の内側に摺接させるように配置するものである。
【００３２】
更に、平板部161の略中央前方には開口部165を有し、平板部161の後端近傍中央にバネ受け171を有し、このバネ受け171により押え部材130を押し上げる持上げバネ147の下端を保持するものである。
【００３３】
更に、このバネ受け171の左右に補助摺動軸139が挿入される支柱穴169を有し、支柱穴169の前方には摺動軸穴167を有し、この摺動軸穴167は前述の様に押え部材130の摺動軸138を挿入する支持柱237が下方から挿入されるものである。そして、周壁部163の右側方の上端近傍にはスケール350を取り付ける差込み穴181を有している。
【００３４】
また、開口部165の内側には、図４や図７に示すように押下げ部177を有し、図１０や図１１などに示すように載置台160が降下して開口部165の前半から第１カッター270の先端や折り曲げ部材280の先端が突出し、開口部165の後半から第２カッター2900の先端が突出したとき、折り曲げ部材280の基部突起285を押下げ部177により押し下げることができるようにしている。
【００３５】
そして、開口部165の前方及び左右の平板部161の下面には、円柱状の補助支柱173が設けられ、この補助支柱173を基台本体部220の支柱受筒239に挿入し、載置台160を基台本体部220に対して上下移動のみ可能として載置台160と基台本体部220とを組み合わせている。
【００３６】
また、開口部165の後方においては、バネ受け171の内部から下方へ円筒状に延びる補助柱受筒172を設け、基台本体部220に立設された補助柱238を挿入し、補助柱238の上端に止めビス179を固定して載置台160が基台本体部220から外れないようにしている。
【００３７】
そして、開口部165の前方の平板部161の下面に設けた補助支柱173の下端にも止めビス179を固定し、開口部165の前方の補助支柱173が支柱受筒239から抜けないようにすると共に、複数の補助支柱173と支柱受筒239、補助柱受筒172と補助柱238、及び、摺動軸穴167と支持柱237などにより、載置台160を基台本体部220に対して上下方向にのみ移動可能として載置台160と基台本体部220とを組み合わせているものである。
【００３８】
この基台本体部220は、ベース部材241やベースカバー251、前述の基台カバー261と合せて基台部210とされるものであり、載置台160と同様に前半部の幅が広く、後半部の幅を僅かに狭くした底板221と、この底板221の周縁から上方に立ち上げた前壁223、側壁225、後側壁227、後壁229を有し、底板221の中央前方にカッター保持部231を、カッター保持部231の前方及び左右に円筒状の支柱受筒239を有し、カッター保持部231の後方左右に支持柱237を有し、カッター保持部231の後方に補助柱238を有するものである。
【００３９】
この支持柱237は、載置台160の摺動軸穴167に挿入されて摺動軸138が挿入されると共に、押上げバネ215を保持して押上げバネ215により載置台160を上方に付勢している。そして、支柱受筒239は、載置台160の補助支柱173が挿入されるものである。
【００４０】
また、カッター保持部231には、第１カッター270、折り曲げ部材280、第２カッター290が取り付けられるものであり、第１カッター270はＵ字形状とされる略半円筒状の本体部271と本体部271の上端に形成された先端刃273を有し、本体部271の下端部に軸穴275を有し、軸穴275を貫通するカッター軸279を中心に前後方向に上端を揺動可能としてカッター保持部231に取り付けられるものである。
【００４１】
更に、このカッター軸279により上端を揺動可能とする折り曲げ部材280が第１カッター270のＵ字形状とされている本体部271の内側に設けられ、この折り曲げ部材280は第１カッター270の高さよりも僅かに低い高さ位置までの長さとされる棒状の本体部271を有する。
【００４２】
この折り曲げ部材280は、本体部281の上端から後方に突出する先端突起283と本体部281の下端から後方に突出する基部突起285を有し、基部穴287にカッター軸279を貫通させて第１カッター270の本体部271の内側に配置されて上端を前後に揺動可能としてカッター保持部231に取り付けられるものである。
【００４３】
そして、図４に示したように、基部突起285とカッター保持部231との間に配置する揺動バネ289により基部突起285の後方端部が押し上げられ、折り曲げ部材280の上端が前方に付勢されて第１カッター270の上端を載置台160に形成した開口部165の前方壁に押し付けるようにして、折り曲げ部材280の上端を第１カッター270の上端内側に当接させているものである。
【００４４】
また、第２カッター290は、第１カッター270と略同一高さとされる平板状の本体部291を有し、本体部291の上端に先端刃293が形成され、本体部291には窓部295が形成され、この窓部295は、図１１や図１２に示すように、折り曲げ部材280が上端を後方に回動させたとき、先端突起283が挿入される開口部分とされるものである。
【００４５】
そして、この第２カッター290は、本体部291と直角とされた板状の基部297を有し、この基部297をカッター保持部231に対して取付けビス298及び取付けナット299によって固定するものである。
【００４６】
また、この基台本体部220の後壁229には、図７に示したように、検出具310を取り付ける板状の取付け部233を突出させているものである。
【００４７】
取付け部233は、板状に後壁229から突出し、後方の上端を前方の上端よりも低くした段部235を有し、板状の取付け部233から側方に突出する取付け軸234を有し、この取付け軸234を検出具310の軸穴313に挿入して検出具310を回動可能に保持するものである。
【００４８】
この検出具310は、棒状の本体部311を有し、本体部311の略中央に軸穴313を有し、棒状の本体部311の中心軸を前後方向とし、先端部315には下方からの切込み317を形成して先端部315に弾力性を与え、先端部315を変形可能としている。
【００４９】
また、基部321には側方に突出する衝撃部323を有し、復帰バネ327により先端部315を上方に付勢され、衝撃部323を取付け部233の後方に形成した段部235に接触させ、棒状とされた本体部311の中心軸を水平から僅かに傾斜させて先端部315を取付け軸234の位置よりも僅かに上方に位置させるものである。
【００５０】
また、載置台160の周壁部163における後端面には、検出具310の先端に接触可能に突出する当接部175を有し、当接部175の上方は順次突出量を小さくして傾斜部176を形成しているものである。
【００５１】
そして、基台本体部220の底板221の下面を固定するベース部材241を有し、金属製のベース部材241は平板長円形のベース板243に基台本体部220の底板221を載置して固定ビス249により基台本体部220をベース部材241に固定し、ベース板243の両側に支持壁245を立ち上げて支持壁245の上方前端近傍にハンドル受穴247を有し、このハンドル受穴247にハンドル軸125を固定してハンドル部110を基台部210に取り付けるものである。
【００５２】
また、ベース部材241を下方から覆うベースカバー251を更に有し、ベースカバー251はベース板243よりも僅かに大きな長円形とする平板状のベース部253を有し、基台本体部220の後側壁227を覆って基台本体部220の後方を保護する立壁部255を有し、ベース部253の一部にスケール350を収納する収納部257を有するものである。
【００５３】
この収納部257は、ベース部253の上面から窪ませた溝形状とし、ベース部253の後方からこの溝にスケール350を挿入可能としてベース部253にスケール350を収納するものである。
【００５４】
この収納部257に収納されるスケール350は、長尺板状の本体部351の一方の端部を基端部357として固定突起361を有し、他方の端部を先端部353として本体部351から上方に垂直に突出する紙当て部355を有し、収納部257から抜き出して固定突起361を載置台160の差込み穴181に挿入して、本体部351を載置台160から側方に突出させるように取り付け可能とされるものである。
【００５５】
この様に各部材を形成し、支持柱237や摺動軸138、更にハンドル軸125や押え軸127などにより相互に各部材を結合して組み合わせた綴じ具100は、図１及び図４に示したハンドル部110や載置台160及び押え部材130を、各部材間に組み込んだバネにより最上方位置に位置させた初期状態のとき、押え部材130と載置台160との空間に所要枚数を重ねた用紙10を挿入可能としている。
【００５６】
尚、重ねた用紙10の枚数が多くなり、押え部材130と載置台160との空間の幅近くまで用紙10の厚さが厚くなったときは、可動部材151の先端部153は上方に押し上げられて用紙10の載置台160と押え部材130との間への挿入を可能としているものである。
【００５７】
そして、ハンドル部110の後端を降下させるようにハンドル部110を押下げると、押え軸127の降下に合わせて押え部材130が降下し、押え部材130の垂下壁141の下端及び紙押え部145の下端で用紙10を載置台160の平板部161に押圧して用紙10を挟持することができる。
【００５８】
尚、図８は、垂下壁141の下端及び紙押え部145の下端を平板部161の上面に当接させ、用紙10の厚みが無い状態として押え部材130の降下状態を図示しているものである。
【００５９】
以下、図９乃至図１３の動作図は、載置台160と押え部材130との間に挿入された用紙10の図示を省略して綴じ具100の動作を示すものである。
【００６０】
押え部材130を載置台160の上面まで降下させた後、更にハンドル部110の後端を降下させて押え部材130の降下を続けると、押え部材130の降下に合わせて載置台160も降下し、図９に示すように載置台160の平板部161が第１カッター270や第２カッター290の先端高さまで降下すると、第１カッター270の先端刃273により用紙10にＵ字形状の切込みが入り、舌片状紙片15の形成が開始されると共に、第２カッター290の先端刃293により線状切込み13の形成も開始される。
【００６１】
このとき、載置台160に降下により載置台160の周壁部163の後端面に形成した当接部175は、検出具310の先端部315との間隙を無くし、検出具310の先端部315に上方から接触することになる。
【００６２】
そして、図１０に示すように、載置台160の押下げ部177が折り曲げ部材280の基部突起285に接する位置まで降下したとき、第１カッター270の先端刃273及び折り曲げ部材280の先端突起283は押え部材130の開口穴部133に収納されて用紙10の上方に貫通し、折り曲げ部材280の上端及び先端突起283により用紙10に形成された舌片状紙片15の先端17を用紙10の上方とするように舌片状紙片15をその基部19で折り曲げて舌片状紙片15を立ち上げることになる。
【００６３】
また、このとき、第２カッター290の上端も用紙10を貫通して押え部材130の開口穴部133に収納され、窓部295の大部分を用紙10の上方に位置させており、検出具310は先端部315が当接部175により押し下げられて復帰バネ327を圧縮し、検出具310の本体部311は回動により先端部315を下方に移動させて衝撃部323を段部235から浮かせるものである。
【００６４】
更にハンドル部110の後端を降下させて押え部材130や載置台160を降下させると、図１０に示すように、押下げ部177により折り曲げ部材280の基部突起285を押し下げて折り曲げ部材280を回転させ、先端突起283の先端を第２カッター290の窓部295に挿入させる位置まで上端を後方に回転させることになる。
【００６５】
このとき、舌片状紙片15も先端突起283により窓部295に押し込まれ、舌片状紙片15の先端17を第２カッター290の窓部295に挿入するように基部19で大きく折り曲げられる。
【００６６】
またこのとき、当接部175の降下により検出具310の先端部315も降下し、検出具310は取付け軸234を中心に回動し、棒状とされた本体部311の中心軸が水平を越えると、先端部315は回動により下方斜め後方へ移動することとなり、先端部315を後方へ後退させることになる。
【００６７】
従って、折り曲げ部材280の先端突起283が窓部295に挿入されるまで載置台160が降下したとき、先端部315は水平方向の移動として後退することにより、図１２に示したように、当接部175と検出具310の先端部315との接触が外れ、復帰バネ327により検出具310の先端部315が急激に押し上げられて検出具310の衝撃部323が取付け部233の段部235に当たり、衝撃音を発することになる。
【００６８】
その後、ハンドル部110の押圧力を緩めると、図１３に示すように、載置台160が押上げバネ215により上昇させられ、押下げ部177の上昇により折り曲げ部材280が揺動バネ289により上端を前方に回動させて第２カッター290の窓部295から先端突起283を外すことになる。
【００６９】
このとき、第１カッター270により形成された舌片状紙片15はその先端17の近傍を第２カッター290の窓部295における上辺に当接するように窓部295に挿入された状態とされる。
【００７０】
また、当接部175は、当接部175の上昇により当接部175の上面に形成した傾斜部176を検出具310の先端部315に当接することになる。
【００７１】
更にハンドル部110の押圧力を緩めると、載置台160が押上げバネ215により更に上昇されることとなり、載置台160の平板部161が第１カッター270や第２カッター290の先端よりも高くなるとき、第１カッター270や第２カッター290は、平板部161に載置挟持された用紙10の下方に抜けることとなり、このとき、第２カッター290の窓部295に挿入されている舌片状紙片15は第２カッター290と共に舌片状紙片15の先端17を用紙10の下方位置とするように線状切込み13に挿入されるようにして用紙10が載置台160と共に上昇する。
【００７２】
このとき、検出具310の先端部315は切込み317により弾性を持たせているために傾斜部176により後方に先端が押圧され、先端部315を変形させることにより当接部175の下方に位置させるようして載置台160が上昇する。
【００７３】
そして、載置台160が上昇限界まで上昇すると、舌片状紙片15はその先端17を第２カッター290の窓部295から外して用紙10の下方に位置させた状態とされ、更にハンドル部110の後端を上昇させると持上げバネ147により押え部材130が載置台160から離れるように上昇し、図４に示した初期状態に戻って重ねた用紙10を綴じた状態として綴じ具100から取り出すことができる。
【００７４】
また、この綴じ具100は、用紙10の一カ所に舌片状紙片15を形成して用紙10を綴じるものであるため、複数個所で閉じる場合に比較して小さな力で容易に多くの枚数を閉じることができる。
【００７５】
そして、載置台160が所定の位置まで降下して折り曲げ部材280の先端突起283が第２カッター290の窓部295に挿入され、用紙10に形成された舌片状紙片15が窓部295に挿入されたとき、検出具310の先端部315が載置台160の当接部175から外れ、復帰バネ327により検出具310の本体部311は急激に初期位置に復帰し、衝撃部323を段部235に当てて衝撃音を発することになる。
【００７６】
従って、衝撃音が発せられた後、ハンドル部110の押圧を解除してハンドル部110を復帰させると、載置台160の上昇によって載置台160と押え部材130とに挟持された用紙10の上昇し、第２カッター290の窓部295に挿入された舌片状紙片15の先端17は、載置台160の上昇により第２カッター290と共に線状切込み13を抜けて用紙10の下方に位置することになり、用紙10を確実に綴じることができる。
【００７７】
また、この検出具310は、本体部311の中心線を水平よりも僅かに先端部315を高くするように傾斜させた状態を初期状態としているため、載置台160の降下により先端部315を回動降下させる際、中心線が水平を越えて先端部315を降下させるとき、先端部315は降下に合わせて水平後方の移動として回動軸の方向に後退移動し、載置台160が所定高さまで降下すると先端部315の水平方向後退移動により確実に当接部175から外れ、復帰バネ327により初期状態に戻って衝撃音を発し、使用者に用紙10の閉じ位置までハンドル部110が操作されたことを知らせることができるものである。
【００７８】
更に、この綴じ具100により綴じた用紙10は、舌片状紙片15を基部19で折り返した貫通穴にバインダーなどの綴じ足や綴じ金具を通してバインダーに用紙10を収納することも可能であり、バインダーに収納するに際しては、用紙10に複数の舌片状紙片15を形成することになる。
【００７９】
このバインダーに収納する場合は、舌片状紙片15の形成位置を正しく位置決めする必要が有り、舌片状紙片15の形成位置がずれると、用紙10がバインダーからはみ出すことになることもある。
【００８０】
このため、本実施の形態では、舌片状紙片15の形成位置をバインダーに合わせて容易に位置決めすることができるようにスケール350を備えているものである。
【００８１】
このスケール350は、板状の本体部351を有し、図１４に示すように、一端とされる先端部353には本体部351と直交するように立設される紙当て部355を有し、他端とされる基端部357からは本体部351から延長するように突出する固定突起361と補助突起367とを有するものである。
【００８２】
この補助突起367は固定突起361の両側に配置され、固定突起361と両側の補助突起367との間には間隙を形成する間隙部365を有し、固定突起361は本体部351と略同等の厚さにして本体部351の幅の約半分の幅として剛性を持たせている。
【００８３】
また、固定突起361の先端には窪み形状の中央合せ溝363を有し、この固定突起361及び補助突起367を載置台160の側方に形成した差込み穴181に挿入したとき、差込み穴181の内部中央に形成した中央突出部185を中央合せ溝363に収納し、スケール350の中央合せ溝363を差込み穴181の中央に位置決めすることを可能としている。
【００８４】
更に、補助突起367は、固定突起361と略同等の厚さとするも、幅を細くして弾力性を持たせて本体部351の幅方向に先端を変位させることができるように僅かな変形を可能とし、補助突起367の先端には円弧状として外方へ僅かに突出する膨出部369を形成しているものである。
【００８５】
そして、両側の補助突起367における外側面の相互の間隔距離を差込み穴181の入口の幅と一致させ、差込み穴181の入り口部分の両側面を係止壁部183とし、差込み穴181の奥には係止壁部183よりも幅を広くした空間である挿入部187を形成し、この挿入部187の中央に中央突出部185を配置して中央突出部185の位置及び中央突出部185の両側に固定突起361を挿入可能とするものである。
【００８６】
従って、差込み穴181に固定突起361や補助突起367を挿入すると、係止壁部183により膨出部369を押圧されて先端相互の間隔である幅を狭めた補助突起367と固定突起361が差込み穴181に挿入され、中央突出部185を中央合せ溝363に入れるようにして固定突起361が差込み穴181の奥に挿入されると共に補助突起367の膨出部369が差込み穴181の奥の挿入部187に挿入されて係止壁部183を越えた位置まで挿入されて両側の補助突起367の相互の間隔を広げて補助突起367の外側面を係止壁部183に当接し、膨出部369によりスケール350が差込み穴181から不用意に抜けることを防止している。
【００８７】
そして、固定突起361の中央合せ溝363に中央突出部185を挟むように固定して載置台160に対するスケール350の位置を常に一定として載置台160に固定すれば、スケール350の紙当て部355と基台本体部220に組み込まれた第１カッター270との距離を常に一定とすることができる。
【００８８】
この紙当て部355と第１カッター270との距離を、Ａ４用紙の長辺にバインダーの綴じ金具挿入穴11をあける場合の２穴綴じバインダーの場合におけるＡ４用紙の短辺からの長辺に沿った綴じ金具挿入穴11までの距離と等しくしている。
【００８９】
このため、重ねたＡ４用紙の短辺をスケール350の紙当て部355に当ててハンドル部110を押下げ、用紙10を綴じた後、綴じた用紙10を裏返し、再度、他の短辺をスケール350の紙当て部355に当て、図１６に示すように、綴じた用紙10の長辺を載置台160と押え部材130の間に挿入してハンドル部110を押下げると、Ａ４用紙の長辺に沿って２穴バインダー用の綴じ金具挿入穴11をあけることができる。
【００９０】
尚、スケール350の本体部には、Ａ４用紙の短辺に２穴をあけるための目盛や、Ｂ版サイズの用紙用のバインダーに穴をあける場合に適した用紙用の穴位置示す目盛のように、各サイズの用紙10において長辺側を綴じる場合の短辺から穴位置までの距離、又は短辺側を綴じる場合の長辺からの穴位置までの距離、などに合わせた目盛を本体部の上面に設けることもある。
【産業上の利用可能性】
【００９１】
本発明に係る綴じ具100は、上述の様に金属針を用いることなく重ねた用紙10の一部を切り抜いて折り返すことにより複数枚の用紙10を重ねた状態とすることができる綴じ具100であって、用紙10を切抜き折り返しが確実に行えたことを容易に知ることができ、用紙10を確実に綴じることが容易に行える綴じ具100である。
【００９２】
また、綴じた用紙10をバインダーに収納するに際しては、用紙10のサイズに合わせ、バインダーの綴じ金具や綴じ足の位置に合わせた位置に舌片状紙片15を折り曲げることにより形成する綴じ金具挿入穴11を形成することも、スケール350を用いて容易に行うことができる。
【符号の説明】
【００９３】
１０  用紙                              １１  綴じ金具挿入穴
１３  線状切込み                        １５  舌片状紙片
１７  先端                              １９  基部
１００  綴じ具
１１０  ハンドル部                      １１１  ハンドルカバー
１１３  ハンドル板                      １１５  天板部
１１７  側部                            １２１  押え穴
１２３  ハンドル軸穴                    １２５  ハンドル軸
１２７  押え軸
１３０  押え部材                        １３１  本体部
１３３  開口穴部                        １３５  支持部
１３７  押え軸穴                        １３８  摺動軸
１３９  補助摺動軸                      １４１  垂下壁
１４３  前保護壁                        １４５  紙押え部
１４７  持上げバネ                      １４９  摺動軸ビス
１５１  可動部材                        １５３  先端部
１５５  基部                            １５７  突起
１５９  可動押えバネ
１６０  載置台                          １６１  平板部
１６３  周壁部                          １６５  開口部
１６７  摺動軸穴                        １６９  支柱穴
１７１  バネ受け                        １７２  補助柱受筒
１７３  補助支柱                        １７５  当接部
１７６  傾斜部                          １７７  押下げ部
１７９  止めビス                        １８１  差込み穴
１８３  係止壁部                        １８５  中央突出部
１８７  挿入部
２１０  基台部                          ２１５  押上げバネ
２２０  基台本体部                      ２２１  底板
２２３  前壁                            ２２５  側壁
２２７  後側壁                          ２２９  後壁
２３１  カッター保持部                  ２３３  取付け部
２３４  取付け軸                        ２３５  段部
２３７  支持柱                          ２３８  補助柱
２３９  支柱受筒
２４１  ベース部材                      ２４３  ベース板
２４５  支持壁                          ２４７  ハンドル受穴
２４９  固定ビス
２５１  ベースカバー                    ２５３  ベース部
２５５  立壁部                          ２５７  収納部
２６１  基台カバー                      ２６３  背部
２６５  側壁部
２７０  第１カッター                    ２７１  本体部
２７３  先端刃                          ２７５  下端部
２７６  軸穴                            ２７９  カッター軸
２８０  折り曲げ部材                    ２８１  本体部
２８３  先端突起                        ２８５  基部突起
２８７  基部穴                          ２８９  揺動バネ
２９０  第２カッター                    ２９１  本体部
２９３  先端刃                          ２９５  窓部
２９７  基部                            ２９８  取付けビス
２９９  取付けナット
３１０  検出具                          ３１１  本体部
３１３  軸穴                            ３１５  先端部
３１７  切込み                          ３２１  基部
３２３  衝撃部                          ３２７  復帰バネ
３５０  スケール                        ３５１  本体部
３５３  先端部                          ３５５  紙当て部
３５７  基端部                          ３６１  固定突起
３６３  中央合せ溝                      ３６５  間隙部
３６７  補助突起                        ３６９  膨出部
【図１】
2015044287.tif 000003
【図２】
2015044287.tif 000004
【図３】
2015044287.tif 000005
【図４】
2015044287.tif 000006
【図５】
2015044287.tif 000007
【図６】
2015044287.tif 000008
【図７】
2015044287.tif 000009
【図８】
2015044287.tif 000010
【図９】
2015044287.tif 000011
【図１０】
2015044287.tif 000012
【図１１】
2015044287.tif 000013
【図１２】
2015044287.tif 000014
【図１３】
2015044287.tif 000015
【図１４】
2015044287.tif 000016
【図１５】
2015044287.tif 000017
【図１６】
2015044287.tif 000018